(57)【要約】【課題】使用量が多くなって光学センサの検出の精度が経時的に変化した場合であっても、被記録物の有無を正確に検出する。【解決手段】  被記録物に液体を噴射する液体噴射装置であって、被記録物を支持するプラテンと、プラテンに支持された被記録物上を往復移動し、被記録物に液体を噴射する噴射ヘッドと、噴射ヘッドと共に往復移動する、被記録物およびプラテンに向けて発光する発光部、および、被記録物から反射される光を受ける受光部を有し、被記録物の有無を光学的に検出する光学センサと、液体噴射装置の使用量を計測する使用量計測部と、使用量計測部による計測量に基づいて、光学センサが検出した結果を補正する補正部とを備える。【選択図】図４
2006231871.tif 000002
【特許請求の範囲】
【請求項１】
被記録物に液体を噴射する液体噴射装置であって、
前記被記録物を支持するプラテンと、
前記プラテンに支持された被記録物上を往復移動し、前記被記録物に液体を噴射する噴射ヘッドと、
前記噴射ヘッドと共に往復移動する、前記被記録物および前記プラテンに向けて発光する発光部、および、前記被記録物から反射される光を受ける受光部を有し、前記被記録物の有無を光学的に検出する光学センサと、
前記液体噴射装置の使用量を計測する使用量計測部と、
前記使用量計測部により計測された前記使用量に基づいて、前記光学センサが検出した結果を補正する補正部と
を備える液体噴射装置。
【請求項２】
前記補正部は、前記使用量が多くなるほど、前記光学センサが検出した結果よりも前記被記録物のより外側に前記被記録物が有るとして補正する請求項１に記載の液体噴射装置。
【請求項３】
前記補正部は、前記光学センサが往復移動する方向における前記被記録物の有無の検出の結果を補正する請求項１に記載の液体噴射装置。
【請求項４】
前記被記録物を、前記光学センサが往復移動する方向に直交する方向に搬送する搬送部をさらに備え、
前記補正部は、前記被記録物が搬送される方向における前記被記録物の有無の検出の結果を補正する請求項１に記載の液体噴射装置。
【請求項５】
前記使用量計測部は、前記発光部の発光時間を計測して前記使用量を算出する請求項１に記載の液体噴射装置。
【請求項６】
前記使用量計測部は、電源投入時間を計測して前記発光時間を算出する請求項５に記載の液体噴射装置。
【請求項７】
前記使用量計測部は、前記噴射ヘッドから噴射される液体の噴射量を計測して前記使用量を算出する請求項１に記載の液体噴射装置。
【請求項８】
前記使用量計測部は、前記被記録物の数を計測して前記噴射量を算出する請求項７に記載の液体噴射装置。
【請求項９】
前記使用量計測部は、前記噴射ヘッドから噴射した液体の量を計測して前記噴射量を算出する請求項７に記載の液体噴射装置。
【請求項１０】
前記使用量計測部は、前記液体の量を噴射モードに基づいて算出する請求項９に記載の液体噴射装置。
【請求項１１】
前記補正部は、前記光学センサの検出の分解能が高いほど、細かい補正をする請求項１に記載の液体噴射装置。
【請求項１２】
前記補正部は、補正に基づいて前記被記録物に液体を噴射する範囲を決定する請求項１に記載の液体噴射装置。
【請求項１３】
被記録物に液体を噴射する液体噴射装置の制御方法であって、
プラテンに支持された前記被記録物上を往復移動し、前記被記録物および前記プラテンに向けて発光部が発光し、前記被記録物から反射される光を受光部で受けることにより、前記被記録物の有無を光学センサで光学的に検出し、
前記液体噴射装置の使用量を計測し、
前記使用量に基づいて、前記光学センサが検出した結果を補正する制御方法。
【請求項１４】
被記録物に液体を噴射する液体噴射装置を制御するコンピュータのプログラムであって、前記コンピュータに、
プラテンに支持された前記被記録物上を往復移動し、前記被記録物および前記プラテンに向けて発光部が発光し、前記被記録物から反射される光を受光部で受けることにより、前記被記録物の有無を光学センサで光学的に検出する機能、
前記液体噴射装置の使用量を計測する機能、および、
前記使用量に基づいて、前記光学センサが検出した結果を補正する機能
を実現させるプログラム。
【発明の詳細な説明】
【技術分野】
【０００１】
本発明は、液体噴射装置、制御方法およびプログラムに関する。特に、本発明は、液体を被記録物に噴射する液体噴射装置、制御方法およびプログラムに関する。
【背景技術】
【０００２】
従来、液体噴射装置の一例として被記録物にインクを吐出して記録を行うインクジェット式記録装置が知られている。このインクジェット式記録装置において、被記録物の四隅に余白を残さずに記録をするいわゆる縁なし記録が知られている。縁なし記録を行うインクジェット式記録装置は、被記録物の縁を検出するセンサを有し、このセンサに基づいて検出された被記録物の縁にマージン量を加えて、当該縁よりも外側までインクを吐出する。
【０００３】
この縁なし記録を行うインクジェット式記録装置において、インクジェット式記録装置の使用量が大きくなるにつれて、被記録物の縁を検出するセンサにインクの汚れがつくなどの原因により、検出の精度が落ちる。特に、光学的センサを用いる場合には発光量および受光量が低下する方向に検出の精度が落ちるので、当該光学的センサは、精度が落ちるほど、被記録物のより内側を縁として検出する。これに対して、被記録物の縁を検出する検出誤差を見込んだマージン量で、被記録物の縁よりも外側にインクを吐出する方法がある（特許文献１および２を参照）。
【特許文献１】特開２００４−３１４４１０号公報
【特許文献２】特開２００３−１２７３４１号公報
【発明の開示】
【発明が解決しようとする課題】
【０００４】
上記特許文献１および２に記載される方法において、検出の誤差が少ない、すなわち、インクジェット式記録装置の使用量が少ない場合には、被記録物のより外側までインクを吐出することになり、インクの無駄が大きいという不具合がある。さらに、上記方法においては、無駄なインクを多く吐出することにより、被記録物の縁を検出するセンサに汚れがつきやすく、検出の精度がさらに落ちるという不具合もある。
【課題を解決するための手段】
【０００５】
上記課題を解決するために、本発明の第１の形態においては、被記録物に液体を噴射する液体噴射装置であって、被記録物を支持するプラテンと、プラテンに支持された被記録物上を往復移動し、被記録物に液体を噴射する噴射ヘッドと、噴射ヘッドと共に往復移動する、被記録物およびプラテンに向けて発光する発光部、および、被記録物から反射される光を受ける受光部を有し、被記録物の有無を光学的に検出する光学センサと、液体噴射装置の使用量を計測する使用量計測部と、使用量計測部により計測された使用量に基づいて、光学センサが検出した結果を補正する補正部とを備える。これにより、使用量が多くなって光学センサの検出の精度が経時的に変化した場合であっても、被記録物の有無を正確に検出することができる。
【０００６】
上記液体噴射装置において、補正部は、使用量が多くなるほど、光学センサが検出した結果よりも被記録物のより外側に被記録物が有るとして補正してもよい。これにより、光学センサの検出の精度が低下した場合であっても、被記録物の有無を正確に検出することができる。
【０００７】
上記液体噴射装置において、補正部は、光学センサが往復移動する方向における被記録物の有無の検出の結果を補正してもよい。光学センサの検出の精度が低下した場合であっても、被記録物における噴射ヘッドの往復移動方向の幅を正確に検出することができる。
【０００８】
上記液体噴射装置は、被記録物を、光学センサが往復移動する方向に直交する方向に搬送する搬送部をさらに備え、補正部は、被記録物が搬送される方向における被記録物の有無の検出の結果を補正してもよい。光学センサの検出の精度が低下した場合であっても、被記録物における搬送方向の幅を正確に検出することができる。
【０００９】
上記液体噴射装置において、使用量計測部は、発光部の発光時間を計測して使用量を算出してもよい。この場合に、使用量計測部は、電源投入時間を計測して発光時間を算出してもよい。これらにより、光学センサの検出の精度が劣化する一因であるインクによる汚れに基づいて、被記録物の有無の検出を補正することができる。
【００１０】
上記液体噴射装置において、使用量計測部は、噴射ヘッドから噴射される液体の噴射量を計測して使用量を算出してもよい。この場合に、上記液体噴射装置において、使用量計測部は、被記録物の数を計測して噴射量を算出してもよい。また、使用量計測部は、液体噴射ヘッドから噴射した液体の量を計測して噴射量を算出してもよい。また、使用量計測部は、液体の量を噴射モードに基づいて算出してもよい。これらにより、光学センサの検出の精度が劣化する一因である発光量の低下に基づいて、被記録物の有無の検出を補正することができる。
【００１１】
上記液体噴射装置において、補正部は、光学センサの検出の分解能が高いほど、細かい補正をしてもよい。これにより、光学センサの検出の分解能の限界まで正確に補正をすることができる。
【００１２】
補正部は、補正に基づいて被記録物に液体を噴射する範囲を決定してもよい。これにより、光学センサの検出の精度が高い場合も低い場合も少ないマージン量で縁なし記録を行うことができる。
【００１３】
本発明の第２の形態においては、被記録物に液体を噴射する液体噴射装置の制御方法であって、プラテンに支持された被記録物上を往復移動し、被記録物およびプラテンに向けて発光部が発光し、被記録物から反射される光を受光部で受けることにより、被記録物の有無を光学センサで光学的に検出し、液体噴射装置の使用量を計測し、使用量に基づいて、光学センサが検出した結果を補正する。これにより、第１の形態と同様の効果を得ることができる。
【００１４】
本発明の第３の形態においては、被記録物に液体を噴射する液体噴射装置を制御するコンピュータのプログラムであって、コンピュータに、プラテンに支持された被記録物上を往復移動し、被記録物およびプラテンに向けて発光部が発光し、被記録物から反射される光を受光部で受けることにより、被記録物の有無を光学センサで光学的に検出する機能、液体噴射装置の使用量を計測する機能、および、使用量に基づいて、光学センサが検出した結果を補正する機能を実現させる。これにより、第１の形態と同様の効果を得ることができる。
【００１５】
なお、上記の発明の概要は、本発明の必要な特徴の全てを列挙したものではなく、これらの特徴群のサブコンビネーションもまた、発明となりうる。
【発明を実施するための最良の形態】
【００１６】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１７】
図１は、本発明の実施形態に係る液体噴射装置の一例であるインクジェット式記録装置１０の斜視図を示す。本実施形態は、被記録物１２にインクを吐出して記録を行うインクジェット式記録装置１０において、インクジェット式記録装置１０の使用量が多くなって光学センサ６０の検出の精度が経時的に変化した場合であっても、被記録物１２の有無を正確に検出することを目的とする。
【００１８】
図１に示すように、インクジェット式記録装置１０は、被記録物１２の搬送方向の上流から順に、給紙部２０、搬送部３０、記録部４０および排出部７０を備える。インクジェット式記録装置１０はさらに、これらを制御する制御部１００を備える。
【００１９】
給紙部２０は、積層された被記録物１２を支持する給紙トレイ２２と、給紙トレイ２２に支持された被記録物１２を一枚ずつ搬送部３０へ向けて搬送する不図示の給紙ローラとを有する。搬送部３０は、回転駆動力を発生する搬送モータ３８と、搬送モータ３８に連結された搬送ベルト３６と、搬送ベルト３６に連結され回転する搬送駆動ローラ３２と、搬送駆動ローラ３２に対向して配され回転可能な搬送従動ローラ３４とを有する。また、排出部７０は、搬送ベルト３６に連結され回転する排出駆動ローラ７２と、排出駆動ローラ７２に対向して配され回転可能な排出従動ローラ７４とを有する。
【００２０】
記録部４０は、下方に配されたプラテン５６と、このプラテン５６上を往復移動するキャリッジ４２と、キャリッジ４２の下方に配された記録ヘッド５４と、キャリッジ４２の側面に配された光学センサ６０とを有する。これら記録ヘッド５４および光学センサ６０は、キャリッジ４２の往復移動と共にプラテン５６上を往復移動する。記録部４０は、さらに、回転駆動力を発生するキャリッジモータ４８と、キャリッジモータ４８に掛け回され、キャリッジ４２に連結されたタイミングベルト４４と、キャリッジ４２の往復移動の方向に沿って延伸したマイクロストリップ４６と、キャリッジ４２の往復移動を案内するキャリッジガイド５０とを有する。マイクロストリップ４６は、短手方向に延びたストライプ模様を、長手方向について等間隔に複数有する。
【００２１】
キャリッジ４２は、インクカートリッジ４９を着脱可能に収容する。インクカートリッジ４９は、内部にインクを収容し、このインクを記録ヘッド５４に供給する。インクカートリッジ４９は、被記録物１２にカラーの記録をすべく、複数の種類のインクを個別に収容している。例えば、図１には４種類のインク、例えば、イエロー、マゼンタ、シアンおよびブラックのインクを収容すべく４つのインクカートリッジ４９が示されている。しかしながら、インクの種類はこれに限られない。インクカートリッジ４９に収容されるインクの種類の他の例は、イエロー、マゼンタ、シアン、つや消しブラック、つや有りブラック、レッド、バイオレットおよびつや出し（透明）の８種類である。記録ヘッド５４には、ノズルが複数設けられており、上記複数の種類のインクのそれぞれは、いずれかのノズルから吐出される。
【００２２】
図１に示すインクジェット式記録装置１０において、被記録物１２は給紙トレイ２２上に重ねて載置される。搬送駆動ローラ３２は、制御部１００からの制御に基づいて駆動された搬送モータ３８の駆動力を、搬送ベルト３６を介して受け取ることにより、給紙トレイ２２に載置された最上位の被記録物１２を、搬送従動ローラ３４との間に挟んで、記録ヘッド５４の下方でプラテン５６の上方へ搬送する。この場合に、プラテン５６は被記録物１２を記録ヘッド５４の下方に案内すると共に、被記録物１２を下方から支持する。被記録物１２がプラテン５６上に搬送された状態で、キャリッジモータ４８がタイミングベルト４４を回転駆動することにより、タイミングベルト４４に連結されたキャリッジ４２が、キャリッジガイド５０に案内されつつ被記録物１２上を往復移動する。キャリッジ４２が往復移動しつつ、キャリッジ４２の下方に配された記録ヘッド５４が被記録物１２へ向けてインクを吐出することにより、記録ヘッド５４から吐出されたインクが被記録物１２上に到着して被記録物１２上に記録が行われる。その後、搬送部３０が被記録物１２をさらに搬送し、搬送された被記録物１２上に記録ヘッド５４がインクを吐出する二つの動作を繰り返すことにより、インクジェット式記録装置１０は被記録物１２上の全体に記録を行う。その後、排出駆動ローラ７２は、制御部１００からの制御に基づいて駆動された搬送モータ３８の駆動力を、搬送ベルト３６を介して受け取ることにより、被記録物１２を排出従動ローラ７４との間で挟んで、インクジェット式記録装置１０の前方に排出する。
【００２３】
図２は、インクジェット式記録装置１０の制御部１００の機能ブロックを示す。制御部１００は、パーソナルコンピュータ１４から供給された信号を受信するバッファメモリ１５６と、記録データを格納するイメージバッファ１４２と、インクジェット式記録装置１０全体の動作を制御するシステムコントローラ１４０と、メモリ１４４とを有する。システムコントローラ１４０には、さらに、キャリッジモータ４８を駆動する主走査駆動回路１５２と、搬送モータ３８を駆動する副走査駆動回路１５４と、記録ヘッド５４を駆動するヘッド駆動回路１４６と、光学センサ６０の発光部６２、受光部６４を制御する光学センサ制御回路１４８と、エンコーダ５２と、が接続されている。また、光学センサ制御回路１４８は、受光部６４により受光される反射光から変換される電気信号を測定するための電気信号測定部１５０を有する。
【００２４】
上記構成において、パーソナルコンピュータ１４から転送された記録データは、一旦、バッファメモリ１５６に蓄えられる。さらに、システムコントローラ１４０が、バッファメモリ１５６から情報を読み取り、これに基づいて、主走査駆動回路１５２、副走査駆動回路１５４、ヘッド駆動回路１４６等に対して制御信号を送る。また、イメージバッファ１４２には、バッファメモリ１５６で受信された複数の色成分の記録データが格納される。ヘッド駆動回路１４６は、システムコントローラ１４０からの制御信号に従って、イメージバッファ１４２から各色成分の記録データを読み出し、これに応じて記録ヘッド５４に設けられた各色のノズルを駆動する。また、エンコーダ５２は、キャリッジ４２に配されて、キャリッジ４２の往復移動と共に往復移動する。この場合に、エンコーダ５２は、マイクロストリップ４６に設けられたストリップ模様の数を計測し、その計測値をシステムコントローラ１４０に渡す。これにより、システムコントローラ１４０は、キャリッジ４２がホームポジションからどれくらいの距離だけ離れた位置にいるかを認識する。
【００２５】
制御部１００はさらに、インクジェット式記録装置１０の使用量を計測する使用量計測部１１０と、インクジェット式記録装置１０の使用量に対応づけて補正値を格納している補正値格納部１２０と、使用量計測部１１０による計測量に基づいて、補正値格納部１２０を参照することにより、光学センサ６０が検出した結果を補正する補正部１３０とを備える。ここで、本実施形態において、使用量計測部１１０はインクジェット式記録装置１０が記録した被記録物１２の枚数を計測し、これのインクジェット式記録装置１０の使用量として算出する。これに対応して、補正値格納部１２０は、被記録物１２の枚数に対応づけて補正値を格納している。さらに、補正部１３０は、使用量計測部１１０により計測された被記録物１２の枚数に基づいて補正値格納部１２０を参照することにより補正値格納部１２０から補正値を読み出して補正を行う。補正部１３０は、上記補正に基づいて被記録物１２にインクを吐出する範囲を決定する。すなわち、補正部１３０は、補正後の縁の位置から所定のマージン量の位置までをインクを吐出する範囲として決定し、システムコントローラ１４０に当該位置を渡す。これにより、光学センサ６０の検出の精度が高い場合も低い場合も少ないマージン量で縁なし記録を行うことができる。
【００２６】
また、記録媒体１６０は、使用量計測部１１０、補正値格納部１２０及び補正部１３０の動作を行わせるプログラムを格納する。制御部１００は記録媒体１６０に格納された上記プログラムをインストールすることにより、使用量計測部１１０、補正値格納部１２０及び補正部１３０の動作を行わせてもよい。さらに、他の方法として、制御部１００は、そのようなプログラムを、通信回線を介して取得してもよい。
【００２７】
図３（ａ）および図３（ｂ）は、光学センサ６０が被記録物１２の有無を検出する動作を説明する概略図である。特に、図３（ａ）は側面図であり、図３（ｂ）は平面図である。
【００２８】
図３（ａ）に示すように、プラテン５６上に配された被記録物１２の上を、光学センサ６０が、図１に示すキャリッジ４２と共に図中の左右方向に往復移動する。なお、ここで、被記録物１２のホームポジション側（図中の右側）は、エッジガイド５８に当接して位置決めされている。そこで、被記録物１２のホームポジション側の縁を光学センサ６０により検出しなくてもよい。
【００２９】
よって、光学センサ６０が被記録物１２における８０桁側（図中の左側）の縁を検出する動作について、さらに説明する。光学センサ６０は発光部６２と受光部６４とを有する。発光部６２は、例えばＬＥＤであり、プラテン５６およびこのプラテン５６上に支持された被記録物１２上に光を照射する。これにより、図３（ｂ）に示すように、プラテン５６又は被記録物１２上にある面積を持った照射領域６６が形成され、この照射領域６６に照射された光がプラテン５６又は被記録物１２で反射され、受光部６４が受光する。ここで、プラテン５６の反射率を低くしておく、例えば、プラテン５６を黒色にしておくことにより、反射光の光量に基づいて、反射率の低いプラテン５６で反射された反射光であるか、反射率の高い被記録物１２における反射光であるかが判断される。この場合に、照射領域６６はある面積を持っているので、被記録物１２の縁の近傍からプラテン５６上に完全に抜け出るまで、受光部６４の受ける光量は漸次小さくなる。
【００３０】
図４は、受光部６４で受けた光量を電気信号測定部１５０で電気信号に変えて測定した場合の光学センサ６０の位置（ホームポジションからの距離）および電気信号測定部１５０の電気信号の大きさの関係を説明する図である。図４に示すように、インクジェット式記録装置１０の使用量が小さく、光学センサ６０の検出の精度が劣化していない場合に、図３（ａ）に示すように光学センサ６０が矢印Ａの方向に移動すると、曲線Ａに沿って、被記録物１２の縁の位置ＸＡの左右で、電気信号が漸次変化する。よって、システムコントローラ１４０は、光学センサ６０が被記録物１２の縁の位置ＸＡに来たときに受光部６４が受ける光量に基づく電気信号測定部１５０の電気信号を予め測定しておき、これをしきい値として予め格納しておくことにより、受光部６４の受光量に基づく電気信号がこのしきい値よりも大きいときは受光部６４が被記録物１２上にあり、小さいときは光学センサ６０がプラテン５６上にあると判断することができる。
【００３１】
ただし、インクジェット式記録装置１０の使用量が大きくなると、光学センサ６０の発光部６２および受光部６４にインクが付着するなどの原因により、光学センサ６０の検出の精度が劣化する。例えば、図４に示すように、ある使用量において、光学センサ６０の受光部６４の受光量に基づく電気信号測定部１５０の電気信号の大きさは、曲線Ａから曲線Ｂに変化する。よって、電気信号測定部１５０の電気信号は、曲線Ｂにおいて光学センサ６０が位置ＸＢに来たときに、曲線Ａにおいて設定したしきい値と同じ大きさになる。よって、インクジェット式記録装置１０の使用量が大きくなって光学センサ６０の検出の精度が劣化するに伴い、電気信号測定部１５０の電気信号は、被記録物１２の本来の縁の位置ＸＡよりも被記録物１２の内側の位置において上記しきい値と同じ大きさになる。
【００３２】
これに対し、本実施形態の補正部１３０は、インクジェット式記録装置１０の使用量に基づいて、光学センサ６０が検出した結果を補正する。この場合に、補正部１３０は、使用量計測部１１０が計測した使用量を読み出し、この使用量に対応づけて補正値格納部１２０に格納されている補正値を読み出して、この補正値を光学センサ６０に基づいて検出された位置に加算することにより補正を行う。例えば、図４において、補正部１３０は、電気信号測定部１５０の電気信号が曲線Ｂとなるようなインクジェット式記録装置１０の使用量において、この曲線Ｂに基づいて電気信号測定部１５０の電気信号がしきい値と同じ大きさとなる光学センサ６０の位置ＸＢに、補正値格納部１２０に格納されている補正値（ＸＡ−ＸＢ）を加算し、補正後の位置を被記録物１２の縁であると判断する。これにより、インクジェット式記録装置１０の使用量が多くなって光学センサ６０の検出の精度が経時的に変化した場合であっても、被記録物１２の有無、特に被記録物１２の縁を正確に検出することができる。なお、一例として光学センサ６０が矢印Ａの方向に移動する場合を説明したが、光学センサ６０が矢印Ａの反対方向に移動する場合であっても、インクジェット式記録装置１０の使用量と共に光学センサ６０の精度が劣化するに従って被記録物１２の内側の位置で電気信号測定部１５０の電気信号の大きさがしきい値に達するので、補正部１３０は、矢印Ａの方向に移動する場合と同様に補正をする。
【００３３】
図５は、補正値格納部１２０に格納される補正値の例を示す。図５に示す補正値格納部１２０は、インクジェット式記録装置１０の使用量として記録枚数に対応づけて、被記録物１２の幅方向（図３（ｂ）の左右方向）の補正値を格納する。なお、図５には光学センサ６０が記録枚数に応じて劣化することにより被記録物１２の縁であるとして検出される誤差量が実線で示されている。補正値格納部１２０は、この誤差量分またはこの誤差量よりも大きい補正値を格納する。図５に示すように、補正値格納部１２０は、インクジェット式記録装置１０の使用量が多くなるほど、光学センサ６０が検出した結果よりも被記録物１２のより外側に、被記録物１２が有るとする補正値を格納している。よって、補正部１３０は、インクジェット式記録装置１０の使用量が多くなるほど、光学センサ６０が検出した結果よりも被記録物１２のより外側に被記録物１２が有るとして補正をする。これにより、インクジェット式記録装置１０の使用量が多くなって光学センサ６０の検出の精度が経時的に変化した場合であっても、補正部１３０は補正値格納部１２０に基づいて光学センサ６０の検出の結果を補正して、被記録物１２の有無、特に被記録物１２の縁を正確に検出することができる。また、図５に示す形態において、光学センサ６０の位置はエンコーダ５２により７２０ｄｐｉの分解能で検出できるので、補正値格納部１２０は、この分解能の整数倍すなわち７２０ｄｐｉの整数倍の補正値を格納している。これにより、光学センサ６０の検出の分解能の限界まで、被記録物１２の幅方向の縁を、正確に検出することができる。
【００３４】
図６は、補正値格納部１２０に格納される補正値の他の例を示す。図６に示す補正値格納部１２０は、インクジェット式記録装置１０の使用量として記録枚数に対応づけて、被記録物１２の前後方向（図３（ｂ）の上下方向）の補正値を格納する。なお、図６には図５と同様に光学センサ６０が記録枚数に応じて劣化することにより被記録物１２の前端または後端であるとして検出される誤差量が実線で示されている。補正値格納部１２０は、この誤差量分またはこの誤差量よりも大きい補正値を格納する。これにより、インクジェット式記録装置１０の使用量が多くなって光学センサ６０の検出の精度が経時的に変化した場合であっても、補正部１３０は補正値格納部１２０に基づいて光学センサ６０の検出の結果を補正して、被記録物１２の有無、特に被記録物１２の前端および後端を正確に検出することができる。また、図６に示す形態において、光学センサ６０の位置は副走査駆動回路１５４の搬送量に基づいて１４４０ｄｐｉの分解能で検出できる。この分解能は、図５の分解能の２倍である。補正値格納部１２０は、この分解能の整数倍すなわち１４４０ｄｐｉの整数倍の補正値を格納している。これにより、光学センサ６０の検出の分解能の限界まで、被記録物１２の前端および後端の位置を、正確に検出することができる。
【００３５】
以上、図１から図６に示す実施形態によれば、インクジェット式記録装置１０の使用量が多くなって光学センサ６０の検出の精度が経時的に変化した場合であっても、被記録物１２の有無、特に被記録物１２の縁を正確に検出することができる。よって、被記録物１２に縁なし記録をする場合に、被記録物１２からはみ出してインクを吐出するマージン量を小さく設定できる。これにより、インクミストによる汚れを抑えることができる。またこれにより、光学センサ６０の汚れを抑えて、光学センサ６０の検出の精度を保つことができる。また、記録領域自体を小さく設定できるので、記録すべき画像の拡大率を抑えることができ、これにより被記録物１２からはみ出して記録されない画像部分を小さくすることができる。なお、上記実施形態において、被記録物１２の左側の縁に対する補正について説明したが、被記録物１２の右側の縁に対しても同様の補正を行うことができる。
【００３６】
図１から図６に示す実施形態において、使用量計測部１１０は被記録物１２の枚数を計測し、補正値格納部１２０は被記録物１２の枚数に対応付けて補正値を格納し、かつ、補正部１３０は使用量計測部１１０により計測された被記録物１２の枚数に基づいて補正を行う。しかしながら、インクジェット式記録装置１０の使用量として他の量に基づいて補正をしてもよい。例えば、記録ヘッド５４から吐出されるインクの吐出量に基づいて、インクジェット式記録装置１０の使用量を算出してもよい。この場合に、使用量計測部１１０は、記録ヘッド５４から吐出したインクの量を計測し、補正値格納部１２０は記録ヘッド５４から吐出したインクの量に対応付けて補正値を格納し、かつ、補正部１３０は使用量計測部１１０により計測された記録ヘッド５４の吐出量に基づいて補正を行ってもよい。また、使用量計測部１１０は、インクの吐出量が比較的少ないテキストか吐出量が比較的多い画像かを示す記録モードに基づいて、インクジェット式記録装置１０の使用量を算出してもよい。これらにより、光学センサ６０の検出の精度が劣化する一因であるインクによる汚れに基づいて、被記録物１２の有無の検出を補正することができる。さらに、使用量計測部１１０は、光学センサ６０の発光部６２の発光時間を計測して使用量を算出してもよい。この場合に、使用量計測部１１０は、電源投入時間を計測して上記発光時間を算出してもよい。これらにより、光学センサ６０の検出の精度が劣化する一因である発光量の低下に基づいて、被記録物１２の有無の検出を補正することができる。
【００３７】
なお、上記実施形態において液体噴射装置の一例としてインクジェット式記録装置１０を説明したが、本発明の液体噴射装置はインクジェット式記録装置１０に限られない。液体噴射装置の他の例として、液晶ディスプレイ用カラーフィルタの製造における色材噴射装置、有機ＥＬディスプレイ、ＦＥＤ（面発光ディスプレイ）等の製造における電極形成装置またはバイオチップ製造に使用する試料噴射装置等がある。
【００３８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００３９】
【図１】インクジェット式記録装置１０の斜視図である。
【図２】インクジェット式記録装置１０の制御部１００の機能ブロックを示す。
【図３】（ａ）および（ｂ）は、光学センサ６０が被記録物１２の有無を検出する動作を説明する概略図である。
【図４】光学センサ６０の位置（ホームポジションからの距離）および電気信号測定部１５０の電気信号の大きさの関係を説明する図である。
【図５】補正値格納部１２０に格納される補正値の例を示す。
【図６】補正値格納部１２０に格納される補正値の他の例を示す。
【符号の説明】
【００４０】
１０  インクジェット式記録装置、１２  被記録物、１４  パーソナルコンピュータ、２０  給紙部、２２  給紙トレイ、３０  搬送部、３２  搬送駆動ローラ、３４  搬送従動ローラ、３６  搬送ベルト、３８  搬送モータ、４０  記録部、４２  キャリッジ、４４  タイミングベルト、４６  マイクロストリップ、４８  キャリッジモータ、４９  インクカートリッジ、５０  キャリッジガイド、５２  エンコーダ、５４  記録ヘッド、５６  プラテン、５８  エッジガイド、６０  光学センサ、６２  発光部、６４  受光部、６６  照射領域、７０  排出部、７２  排出駆動ローラ、７４  排出従動ローラ、１００  制御部、１１０  使用量計測部、１２０  補正値格納部、１３０  補正部、１４０  システムコントローラ、１４２  イメージバッファ、１４４  メモリ、１４６  ヘッド駆動回路、１４８  光学センサ制御回路、１５０  電気信号測定部、１５２  主走査駆動回路、１５４  副走査駆動回路、１５６  バッファメモリ、１６０  記録媒体
【図１】
2006231871.tif 000003
【図２】
2006231871.tif 000004
【図３】
2006231871.tif 000005
【図４】
2006231871.tif 000006
【図５】
2006231871.tif 000007
【図６】
2006231871.tif 000008